(57)【要約】【課題】消去モードに切り替わったことが即座に判り、画像の消去操作および画面隅の消去操作を容易に行うことができるタッチパネル入力装置を提供する。【解決手段】タッチパネル入力装置は、操作子１（例えばペン）あるいは操作子２（例えば指）の接触情報を出力するセンサー部３０１と、センサー部３０１からの接触情報を取得するセンサー情報取得部３０２と、その接触情報に基づき操作子１あるいは操作子２のいずれが接触したかを識別する操作子識別部３０３と、操作子１が接触した場合の処理を行う操作子１処理部３０４と、操作子２が接触した場合の処理を行う操作子２処理部３０５と、操作子２が接触した場合に、操作子２処理部３０５に対し拡張した処理を行う拡張処理部３０６と、生成した画像を出力する画像出力部３０７とを有する。【選択図】図３
2012252652.tif 000002
【特許請求の範囲】
【請求項１】
操作子の接触情報を出力するセンサー部と、
前記センサー部からの接触情報を取得するセンサー情報取得部と、
前記操作子の接触情報に基づき操作子１あるいは操作子２のいずれが接触したかを識別する操作子識別部と、
前記操作子１が接触した場合の処理を行う操作子１処理部と、
前記操作子２が接触した場合の処理を行う操作子２処理部と、
前記操作子２が接触した場合、前記操作子２処理部に対し拡張した処理を行う拡張処理部と、を備えたことを特徴とするタッチパネル入力装置。
【請求項２】
前記操作子識別部は、前記操作子の接触面積が所定の閾値以下か否か判断し、
前記操作子の接触面積が所定の閾値以下の場合、前記操作子１処理部が、前記操作子１が接触したと判断して描画モードに設定し、
前記操作子の接触面積が所定の閾値以下ではない場合、前記操作子２処理部が、前記操作子２が接触したと判断して消去モードに設定することを特徴とする請求項１記載のタッチパネル入力装置。
【請求項３】
前記消去モードの場合、前記拡張処理部は、前記操作子２の接触位置に消しゴムの図を生成することを特徴とする請求項２記載のタッチパネル入力装置。
【請求項４】
前記拡張処理部は、前記消しゴムの図を半透明または点線で表示することを特徴とする請求項３記載のタッチパネル入力装置。
【請求項５】
前記消去モードの場合、前記拡張処理部は、前記操作子２の接触面の楕円の長径方向に合わせて、前記消しゴムの図を生成することを特徴とする請求項３記載のタッチパネル入力装置。
【請求項６】
前記拡張処理部は、前記楕円の長径のうち画面枠に近い方の方向を求め、前記画面枠に近い方の方向に前記消しゴムの図を傾けて生成することを特徴とする請求項５記載のタッチパネル入力装置。
【請求項７】
装置に対する加速度情報を出力する加速度センサー部を備えたことを特徴とする請求項１記載のタッチパネル入力装置。
【請求項８】
前記拡張処理部は、前記加速度情報を取得し、装置の状態を判定した結果に基づき、前記操作子２の接触位置に所定の傾きで消しゴムの図を生成することを特徴とする請求項７記載のタッチパネル入力装置。
【請求項９】
前記拡張処理部は、前記加速度情報から装置の傾きの方向を計算し、前記装置の状態を縦、横、逆縦、逆横の４パターンに分類することを特徴とする請求項８記載のタッチパネル入力装置。
【請求項１０】
前記操作子１はペンであり、前記操作子２は指であることを特徴とする請求項１または７記載のタッチパネル入力装置。
【請求項１１】
前記拡張処理部は、消去部分として円形、矩形または楕円領域を前記消しゴムの図に重畳して表示することを特徴とする請求項３または８記載のタッチパネル入力装置。
【請求項１２】
前記拡張処理部は、前記操作子２の接触面積または押圧の大小に応じて、前記消去部分を縮小／拡大することを特徴とする請求項１１記載のタッチパネル入力装置。
【請求項１３】
前記拡張処理部は、前記操作子２の接触面積または押圧の大小に応じて、前記消しゴムの図自体を縮小／拡大することを特徴とする請求項３または８記載のタッチパネル入力装置。
【請求項１４】
前記拡張処理部は、前記操作子２の接触面積または押圧が小さい場合に、非消去モードにおいて前記消しゴムの図を半透明または点線で表示し、
前記操作子２の接触面積または押圧が大きい場合に、前記消去モードにおいて前記消しゴムの図を実線で表示することを特徴とする請求項３または８記載のタッチパネル入力装置。
【発明の詳細な説明】
【技術分野】
【０００１】
本発明は、タッチパネル入力装置に関し、特に、画像および画面隅の消去操作を行うことができるタッチパネル入力装置に関する。
【背景技術】
【０００２】
スタイラスペンで文字または図形を入力する入力装置としてタッチパネルが使用されるが、タッチパネルでの操作中、一連の操作とは異なる別のコマンドを入力しなければならない場面がある。例えば、手書き入力が可能な手書きソフトウェアにおいて、手書き入力を消去する場合は、消しゴム機能を選択後に操作する必要がある。
【０００３】
また、タッチパネルへの触り方を変えることによりタッチパネルだけで簡単に操作を切り替えるために、タッチパネルへの接触の形状の相違を利用し、手書き機能と消しゴム機能を切り替える方法がある。
【０００４】
例えば、表面をなぞることで情報入力を行うとともに必要な表示も行える表示器兼用のタッチパネルを用いた電子システム手帳装置において、タッチパネルに接触する部分がある面積以下のときは情報の書き込みと判断し、ある面積以上のときは情報の消去と判断する判定手段と、その判定手段の判定結果に応じた制御を行う制御部を備え、検出した面積が小さければペン（書ける）、大きければ消しゴム（消える）として機能する電子システム手帳装置がある。
【０００５】
図１５は、ペン１５１の形状および表示部１５２の出力変化を示す図である。表示部１５２にはタッチパネルが用いられており、情報の書き込みは、タッチパネルに内蔵される感圧センサー上にペン１５１で必要な文字または図形を記入することによって行われる。ペン１５１は、一端が図１５（ａ）に示すように細い部分、他端が図１５（ｂ）に示すように太い部分を有し、実際のペンと消しゴムのような形状になっている。図１５（ｃ）は、ペン１５１の細い部分が感圧センサーを押圧した場合の表示部１５２の出力変化であり、図１５（ｄ）は、ペン１５１の太い部分が感圧センサーを押圧した場合の表示部１５２の出力変化である。図中の「１」の部分が押圧された部分である。ペン１５１によって感圧センサーの狭い部分から出力が発生したときは情報の書き込み、消しゴムによって広い部分から出力が発生したときは書き込まれている情報の抹消動作をする（例えば、特許文献１参照）。
【０００６】
また、別の例として、ユーザが用いた被接触物に応じて、ポインタの表示の仕方を変えることのできる入力装置がある。この入力装置は、画面上の位置を指定する際に用いられた物体の画面に対する接触面積と接触位置とを検出する接触物検出手段と、接触面積に応じて、接触位置と、ポインタの表示位置との距離Ｈを変更するポインタ位置調整手段とを備え、接触面積に応じて、接触位置とポインタの表示位置との距離Ｈを変更する。
【０００７】
図１６は、この入力装置に指１６０１でタッチが行われた場合を示す。この入力装置は、接触面積が大きい場合は、指１６０１や太いペンなどの細かい位置の指定に適さないものが用いられていると判断し、接触位置中心点（×印）から距離Ｈ隔てた位置、つまり指１６０１に隠れない位置にポインタＰを表示する（例えば、特許文献２参照）。
【０００８】
また、別の例として、画像処理装置の操作性を向上させるために、接触位置の重心から所定の距離だけ離れた位置に、先端の尖ったポインタを表示する方法がある。
【０００９】
図１７は、この画像処理装置の表示部１７１を示す。画像処理装置の表示部１７１には、タッチパネルが重畳されて設けられている。ユーザがタッチパネルに指１７６，１７７を接触させると、表示部１７１には仮想マウス１７５、左ボタン１７３および右ボタン１７４が表示される。この仮想マウス１７５には、先端の尖った形状のポインタ１７２が設けられており、ポインタ１７２は、ユーザの指１７６，１７７の接触位置の重心から、所定の距離だけ離れた位置に表示される。そのため、ポインタ１７２がユーザの指１７６，１７７に隠れてしまうようなこともなく、ユーザはポインタ１７２により、より簡単かつ正確に画像上の任意の位置を指定することができる（例えば、特許文献３参照）。
【先行技術文献】
【特許文献】
【００１０】
【特許文献１】特開平２−２９９０１３号公報
【特許文献２】特開２０１０−１９８２９０号公報
【特許文献３】特開２０１０−２７２０３６号公報
【発明の概要】
【発明が解決しようとする課題】
【００１１】
しかしながら、タッチパネルに接触する部分がある面積以下のときは情報の書き込みと判断し、ある面積以上のときは情報の消去と判断する方法では、太いペン（接触面積大）にてタッチパネルに接触させた場合に「消去」のモードになるが、「消去」のモードになっている旨の画面表示が無く、操作者に判りにくい。
【００１２】
また、ポインタ表示するものは、同ポインタ自体により、指示している位置の周辺が隠されてしまう。また、太いペン（接触面積大）を画面の隅に移動させても、画面のエッジ部分に消し去れない部分が残る。
【００１３】
図１８は、指１８１あるいは太いペンにて画面１８２の隅の消去を行う場合を示す。図中の丸×印が、指１８１あるいはペンの接触面である。このように指１８１あるいは太いペンでは指示している画面１８２の隅が隠されてしまい、画面１８２の隅の消去を行うことが困難である。
【００１４】
本発明は、上記従来の事情に鑑みてなされたものであって、消去モードに切り替わったことが即座に判り、画像の消去操作および画面隅の消去操作を容易に行うことができるタッチパネル入力装置を提供することを目的としている。
【課題を解決するための手段】
【００１５】
本発明のタッチパネル入力装置は、操作子の接触情報を出力するセンサー部と、前記センサー部からの接触情報を取得するセンサー情報取得部と、前記操作子の接触情報に基づき操作子１あるいは操作子２のいずれが接触したかを識別する操作子識別部と、前記操作子１が接触した場合の処理を行う操作子１処理部と、前記操作子２が接触した場合の処理を行う操作子２処理部と、前記操作子２が接触した場合、前記操作子２処理部に対し拡張した処理を行う拡張処理部とを備えたことを特徴とする。
【００１６】
本発明のタッチパネル入力装置によれば、操作子１（例えばペン）あるいは操作子２（例えば指）のいずれが接触したかを識別し、操作子２が接触した場合に所定の拡張処理を行うことにより、消去モードに切り替わったことが即座に判り、画像の消去操作および画面隅の消去操作を容易に行うことができる。
【００１７】
また、本発明のタッチパネル入力装置は、前記操作子識別部は、前記操作子の接触面積が所定の閾値以下か否かを判断し、前記操作子の接触面積が所定の閾値以下の場合、前記操作子１処理部が、前記操作子１が接触したと判断して描画モードに設定し、前記操作子の接触面積が所定の閾値以下ではない場合、前記操作子２処理部が、前記操作子２が接触したと判断して消去モードに設定することを特徴とする。
【００１８】
本発明のタッチパネル入力装置によれば、操作子の接触面積が所定の閾値以下か否かを判断して描画モードまたは消去モードに設定するので、モードの切り替えを迅速に行うことができる。
【００１９】
また、本発明のタッチパネル入力装置は、前記消去モードの場合、前記拡張処理部は、前記操作子２の接触位置に消しゴムの図を生成することを特徴とする。
【００２０】
本発明のタッチパネル入力装置によれば、消去モードの場合に操作子２の接触位置に消しゴムの図を生成するので、消去モードに切り替わったことが即座に判る。
【００２１】
また、本発明のタッチパネル入力装置において、前記拡張処理部は、前記消しゴムの図を半透明または点線で表示することを特徴とする。
【００２２】
本発明のタッチパネル入力装置によれば、消しゴムの図を半透明または点線で表示するので、消去する対象が消しゴムで隠されることがなく、消去操作を容易に行うことができる。
【００２３】
また、本発明のタッチパネル入力装置は、前記消去モードの場合、前記拡張処理部は、前記操作子２の接触面の楕円の長径方向に合わせて、前記消しゴムの図を生成することを特徴とする。
【００２４】
本発明のタッチパネル入力装置によれば、操作子２の接触面の楕円の長径方向に合わせて消しゴムの図を生成するので、指先の延長線上に消しゴムが表示され、消去操作を容易に行うことができる。
【００２５】
また、本発明のタッチパネル入力装置において、前記拡張処理部は、前記楕円の長径のうち画面枠に近い方の方向を求め、前記画面枠に近い方の方向に前記消しゴムの図を傾けて生成することを特徴とする。
【００２６】
本発明のタッチパネル入力装置によれば、楕円の長径のうち画面枠に近い方の方向を求め、画面枠に近い方の方向に消しゴムの図を傾けて生成するので、画面隅の消去を容易に行うことができる。
【００２７】
また、本発明のタッチパネル入力装置は、装置に対する加速度情報を出力する加速度センサー部を備えたことを特徴とする。
【００２８】
本発明のタッチパネル入力装置によれば、装置に対する加速度情報を出力する加速度センサー部を備えるので、ユーザに対する装置の向きを検出し、装置の向きに応じた処理を行うことができる。
【００２９】
また、本発明のタッチパネル入力装置において、前記拡張処理部は、前記加速度情報を取得し、装置の状態を判定した結果に基づき、前記操作子２の接触位置に所定の傾きで消しゴムの図を生成することを特徴とする。
【００３０】
本発明のタッチパネル入力装置によれば、装置の状態を判定した結果に基づき、操作子２の接触位置に所定の傾きで消しゴムの図を生成するので、ユーザによる装置の使用状態にかかわらず、消去操作を容易に行うことができる。
【００３１】
また、本発明のタッチパネル入力装置において、前記拡張処理部は、前記加速度情報から装置の傾きの方向を計算し、前記装置の状態を縦、横、逆縦、逆横の４パターンに分類することを特徴とする。
【００３２】
本発明のタッチパネル入力装置によれば、装置の状態を縦、横、逆縦、逆横の４パターンに分類するので、装置の通常の使用状態における消去操作を容易に行うことができる。
【００３３】
また、本発明のタッチパネル入力装置において、前記操作子１はペンであり、前記操作子２は指であることを特徴とする。
【００３４】
本発明のタッチパネル入力装置によれば、ペンで入力し、指で消去するので、快適な操作性を提供することができる。
【００３５】
また、本発明のタッチパネル入力装置において、前記拡張処理部は、消去部分として円形、矩形または楕円領域を前記消しゴムの図に重畳して表示することを特徴とする。
【００３６】
本発明のタッチパネル入力装置によれば、消去部分として円形、矩形または楕円領域を消しゴムの図に重畳して表示するので、正確な消去操作を行うことができる。
【００３７】
また、本発明のタッチパネル入力装置において、前記拡張処理部は、前記操作子２の接触面積または押圧の大小に応じて、前記消去部分を縮小／拡大することを特徴とする。
【００３８】
本発明のタッチパネル入力装置によれば、操作子２の接触面積または押圧の大小に応じて消去部分を縮小／拡大するので、狭い範囲の消去および広い範囲の消去を容易に行うことができる。
【００３９】
また、本発明のタッチパネル入力装置において、前記拡張処理部は、前記操作子２の接触面積または押圧の大小に応じて、前記消しゴムの図自体を縮小／拡大することを特徴とする。
【００４０】
本発明のタッチパネル入力装置によれば、操作子２の接触面積または押圧の大小に応じて消しゴムの図自体を縮小／拡大するので、狭い範囲の消去および広い範囲の消去を容易に行うことができる。
【００４１】
また、本発明のタッチパネル入力装置において、前記拡張処理部は、前記操作子２の接触面積または押圧が小さい場合に、非消去モードにおいて前記消しゴムの図を半透明または点線で表示し、前記操作子２の接触面積または押圧が大きい場合に、前記消去モードにおいて前記消しゴムの図を実線で表示することを特徴とする。
【００４２】
本発明のタッチパネル入力装置によれば、操作子２の接触面積または押圧が小さい場合に、非消去モードにおいて消しゴムの図を半透明または点線で表示し、操作子２の接触面積または押圧が大きい場合に、消去モードにおいて消しゴムの図を実線で表示するので、消去する対象が消しゴムで隠されることがなく、消去操作を容易に行うことができる。
【発明の効果】
【００４３】
以上説明したように、本発明にかかるタッチパネル入力装置によれば、操作子１あるいは操作子２のいずれが接触したかを識別し、操作子２が接触した場合に所定の拡張処理を行うことにより、消去モードに切り替わったことが即座に判り、画像の消去操作および画面隅の消去操作を容易に行うことができる。
【図面の簡単な説明】
【００４４】
【図１】本発明の実施の形態にかかるタッチパネル入力装置においてタッチパネル画面に描かれているオブジェクトを消去する様子を説明するための図（ａ）、（ｂ）
【図２】本発明の実施の形態にかかるタッチパネル入力装置においてタッチパネル画面に表示される消しゴムの向きを説明するための図（ａ）、（ｂ）
【図３】本発明の実施の形態にかかるタッチパネル入力装置の概略の機能ブロック図
【図４】本発明の実施の形態にかかるタッチパネル入力装置の動作のフローチャート
【図５】本発明の実施の形態にかかる拡張処理部の動作の詳細を説明するためのフローチャート
【図６】本発明の実施の形態にかかるタッチパネル入力装置においてタッチパネル画面に表示される消しゴムの向きを説明するための図（ａ）〜（ｄ）
【図７】本発明の実施の形態にかかるタッチパネル入力装置の概略の機能ブロック図
【図８】本発明の実施の形態にかかるタッチパネル入力装置の動作のフローチャート
【図９】本発明の実施の形態にかかる拡張処理部の動作の詳細を説明するためのフローチャート
【図１０】タッチパネル画面が９０°回転した場合に指の接触位置に表示される消しゴムの図（ａ）、（ｂ）
【図１１】本発明の実施の形態にかかるタッチパネル入力装置のバリエーション１を説明するための図（ａ）〜（ｃ）
【図１２】本発明の実施の形態にかかるタッチパネル入力装置のバリエーション２を説明するための図（ａ）、（ｂ）
【図１３】本発明の実施の形態にかかるタッチパネル入力装置のバリエーション３を説明するための図（ａ）、（ｂ）、（ｃ）
【図１４】本発明の実施の形態にかかるタッチパネル入力装置のバリエーション４を説明するための図（ａ）、（ｂ）
【図１５】従来例におけるペンの形状および表示部の出力変化を示す図（ａ）〜（ｄ）
【図１６】従来例において入力装置に指でタッチが行われた場合を示す図
【図１７】従来例における画像処理装置の表示部を示す図
【図１８】従来例において指あるいは太いペンにて画面隅の消去を行う場合を示す図
【発明を実施するための形態】
【００４５】
（実施の形態１）
図１は、本発明の実施の形態にかかるタッチパネル入力装置において、タッチパネル画面に描かれているオブジェクトを消去する様子を説明するための図である。タッチパネル画面１０１には既にスタイラスペン等により三角形のオブジェクト１０２が描かれている。このオブジェクト１０２をユーザが指１０４で消す場合の様子である。
【００４６】
本実施の形態では、図１（ａ）のように指１０４の接触位置に消しゴム１０３を表示するので、ユーザには消去モードになったことが即座に判る。また、図１（ｂ）のように消しゴム１０５を半透明または点線で表示してもよく、その場合は消去する周辺の画像が隠されないので、消去操作が容易になる。
【００４７】
図２は、本発明の実施の形態にかかるタッチパネル入力装置において、タッチパネル画面に表示される消しゴムの向きを説明するための図である。本実施の形態では、指がタッチパネル画面に接触した場合に消しゴムを表示するが、指の接触面である楕円の長径方向を消しゴムの向きとし、半円部分を枠に近い方に向けて表示する。
【００４８】
すなわち、図２（ａ）はタッチパネル画面２０１の左上隅の部分を消去する場合であり、指２０４の接触面である楕円２０３の長径方向を消しゴム２０２の向きとし、半円部分（点線で表示）をタッチパネル画面２０１の枠に近い方に向けて表示する。一方、図２（ｂ）はタッチパネル画面２０１の右上隅の部分を消去する場合であり、指２０７の接触面である楕円２０６の長径方向を消しゴム２０５の向きとし、半円部分（点線で表示）をタッチパネル画面２０１の枠に近い方に向けて表示する。
【００４９】
本実施の形態によれば、消しゴム２０２，２０５を指２０４，２０７の接触の方向に一致させて表示するので、タッチパネル画面２０１の隅の画像を容易に消去することができる。
【００５０】
図３は、本発明の実施の形態にかかるタッチパネル入力装置の概略の機能ブロック図を示す。本実施の形態のタッチパネル入力装置は、操作子１（例えばペン）あるいは操作子２（例えば指）の接触情報を出力するセンサー部３０１と、センサー部３０１からの接触情報を取得するセンサー情報取得部３０２と、その接触情報に基づき操作子１あるいは操作子２のいずれが接触したかを識別する操作子識別部３０３と、操作子１が接触した場合の処理を行う操作子１処理部３０４と、操作子２が接触した場合の処理を行う操作子２処理部３０５と、操作子２が接触した場合に、操作子２処理部３０５に対し拡張した処理を行う拡張処理部３０６と、生成した画像を出力する画像出力部３０７とを有する。
【００５１】
本実施の形態のタッチパネル入力装置によれば、操作子１あるいは操作子２のいずれが接触したかを識別し、操作子２が接触した場合に所定の拡張処理を行うことにより、消去モードに切り替わったことが即座に判り、画像の消去操作および画面隅の消去操作を容易に行うことができる。
【００５２】
図４は、本発明の実施の形態にかかるタッチパネル入力装置の動作のフローチャートを示す。ユーザの指がタッチパネルに触れると本プログラムが起動する。本プログラムが起動すると、センサー情報取得部３０２が、センサー情報を取得する（ステップＳ４０１）。そして、操作子識別部３０３が、操作子の接触面積が所定の閾値以下か否かを判断する （ステップＳ４０２）。
【００５３】
操作子の接触面積が所定の閾値以下の場合（Ｙｅｓ）、操作子１処理部３０４が、操作子１（ペン）が接触したと判断し、描画モードに設定する（ステップＳ４０３）。一方、操作子の接触面積が所定の閾値以下ではない場合（Ｎｏ）、操作子２処理部３０５が、操作子２（指）が接触したと判断し、消去モードに設定する（ステップＳ４０４）。
【００５４】
次に、拡張処理部３０６が、操作子２（指）の接触面の楕円の長径方向に合わせて、接触位置に消しゴムの図を生成する（ステップＳ４０５）。そして、画像出力部３０７が、生成した画像を出力する（ステップＳ４０６）。
【００５５】
本実施の形態のタッチパネル入力装置によれば、操作子の接触面積が所定の閾値以下か否かを判断して描画モードまたは消去モードに設定するので、モードの切り替えを迅速に行うことができる。また、消去モードの場合に操作子２の接触位置に消しゴムの図を生成するので、消去モードに切り替わったことが即座に判る。
【００５６】
図５は、拡張処理部３０６の動作の詳細を説明するためのフローチャートである。まず、拡張処理部３０６は、操作子２（指）の接触面の楕円の長径の方向を求める（ステップＳ５０１）。そして、楕円の長径の内、画面枠に近い方の方向を求める（ステップＳ５０２）。
【００５７】
次に、拡張処理部３０６は、画面枠に近い方向が求められたかどうか判断する（ステップＳ５０３）。画面枠に近い方向が求められた場合（Ｙｅｓ）、画面枠に近い方の方向を設定方向とする（ステップＳ５０４）。一方、操作子２（指）の接触位置が画面の中央などで、画面枠に近い方向が求められなかった場合（Ｎｏ）、例えば上向きなどのデフォルトの方向を設定方向とする（ステップＳ５０５）。そして、その設定方向に消しゴムの図を傾けて生成する（ステップＳ５０６）。
【００５８】
本実施の形態のタッチパネル入力装置によれば、操作子２の接触面の楕円の長径方向に合わせて消しゴムの図を生成するので、指先の延長線上に消しゴムが表示され、消去操作を容易に行うことができる。また、楕円の長径のうち画面枠に近い方の方向を求め、画面枠に近い方の方向に消しゴムの図を傾けて生成するので、画面隅の消去を容易に行うことができる。
【００５９】
（実施の形態２）
図６は、本発明の実施の形態にかかるタッチパネル入力装置においてタッチパネル画面に表示される消しゴムの向きを説明するための図である。図６（ａ）はタッチパネル画面６０１が縦状態（傾き＝０°）の場合、図６（ｂ）はタッチパネル画面６０１が横状態（傾き＝９０°）の場合、図６（ｃ）はタッチパネル画面６０１が逆縦状態（傾き＝１８０°）の場合、図６（ｄ）はタッチパネル画面６０１が逆横状態（傾き＝２７０°）の場合である。消しゴム６０２は、それぞれの場合に、指６０３が接触した位置で左上隅を向く方向に表示される。なお、さらにタッチパネル画面６０１の傾きの分解能を上げ、例えば４５°，３０°，その他の角度の傾きに対応しても良い。
【００６０】
本実施の形態のタッチパネル入力装置によれば、装置の使用状態にかかわらず、指６０３が接触した位置で消しゴム６０２が左上隅を向く方向に表示されるので、それぞれの使用状態における消去操作を容易に行うことができる。
【００６１】
図７は、本発明の実施の形態にかかるタッチパネル入力装置の概略の機能ブロック図を示す。本実施形態のタッチパネル入力装置は、操作子１（例えばペン）あるいは操作子２（例えば指）の接触情報を出力するセンサー部３０１と、センサー部３０１からの接触情報を取得するセンサー情報取得部３０２と、その接触情報に基づき操作子１あるいは操作子２のいずれが接触したかを識別する操作子識別部３０３と、操作子１が接触した場合の処理を行う操作子１処理部３０４と、操作子２が接触した場合の処理を行う操作子２処理部３０５と、操作子２が接触した場合に、操作子２処理部３０５に対し拡張した処理を行う拡張処理部３０６と、装置に対する加速度情報を出力する加速度センサー部７０１と、生成した画像を出力する画像出力部３０７とを有する。
【００６２】
本実施の形態のタッチパネル入力装置によれば、装置に対する加速度情報を出力する加速度センサー部７０１を備えるので、ユーザに対する装置の向きを検出し、装置の向きに応じた処理を行うことができる。
【００６３】
図８は、本発明の実施の形態にかかるタッチパネル入力装置の動作のフローチャートを示す。まず、センサー情報取得部３０２が、センサー情報を取得する（ステップＳ８０１）。そして、操作子識別部３０３が、操作子の接触面積が所定の閾値以下か否か判断する（ステップＳ８０２）。
【００６４】
操作子の接触面積が所定の閾値以下の場合（Ｙｅｓ）、操作子１処理部３０４が、操作子１（ペン）が接触したと判断し、描画モードに設定する（ステップＳ８０３）。一方、操作子の接触面積が所定の閾値以下ではない場合（Ｎｏ）、操作子２処理部３０５が、操作子２（指）が接触したと判断し、消去モードに設定する（ステップＳ８０４）。
【００６５】
次に、拡張処理部３０６が、加速度センサー部７０１から加速度センサーの情報を取得し、装置の状態（縦・横・逆縦・逆横）を判定した結果に基づき、操作子２（指）の接触位置に所定の傾きで消しゴムの図を生成する（ステップＳ８０５）。そして、画像出力部３０７が、生成した画像を出力する（ステップＳ８０６）。
【００６６】
本実施の形態のタッチパネル入力装置によれば、装置の状態を縦、横、逆縦、逆横、の４パターンに分類するので、装置の状態の検出が容易になり、消去操作を高速に行うことができる。また、装置の状態を判定した結果に基づき、操作子２の接触位置に所定の傾きで消しゴムの図を生成するので、ユーザによる装置の使用状態にかかわらず、消去操作を容易に行うことができる。
【００６７】
図９は、拡張処理部３０６の動作の詳細を説明するためのフローチャートである。まず、拡張処理部３０６は、加速度センサー部７０１から装置に対する加速度の情報を取得する（ステップＳ９０１）。そして、装置に対する加速度の情報から、装置の傾きの方向（縦・横・逆縦・逆横）を計算する（ステップＳ９０２）。
【００６８】
次に、拡張処理部３０６は、装置の傾きが０°（縦状態）かどうか判断する（ステップＳ９０３）。装置の傾きが０°（縦状態）の場合（Ｙｅｓ）、装置の傾きが０°の状態に対応する所定の傾きで消しゴムの図を生成する（ステップＳ９０４）。
【００６９】
一方、装置の傾きが０°（縦状態）でない場合（Ｎｏ）、装置の傾きが９０°（横状態）かどうか判断する（ステップＳ９０５）。そして、装置の傾きが９０°（横状態）の場合（Ｙｅｓ）、装置の傾きが９０°の状態に対応する所定の傾きで消しゴムの図を生成する（ステップＳ９０６）。
【００７０】
装置の傾きが９０°（横状態）でない場合（Ｎｏ）、装置の傾きが１８０°（逆の縦状態）かどうか判断する（ステップＳ９０７）。そして、装置の傾きが１８０°（逆の縦状態）である場合（Ｙｅｓ）、装置の傾きが１８０°の状態に対応する所定の傾きで消しゴムの図を生成する（ステップＳ９０８）。一方、装置の傾きが１８０°（逆の縦状態）でない場合（Ｎｏ）、装置の傾きが２７０°の状態に対応する所定の傾きで消しゴムの図を生成する（ステップＳ９０９）。
【００７１】
本実施の形態のタッチパネル入力装置によれば、装置の状態を縦、横、逆縦、逆横の４パターンに分類するので、装置の通常の使用状態における消去操作を容易に行うことができる。
【００７２】
なお、実施の形態２（図６）では、タッチパネル画面６０１を９０°傾けるごとに消しゴムの図が左上を向くように表示されるが、傾斜の分解能をさらに上げ（例えば１°）、その傾斜角ごとに消しゴムの図が所定の方向を向くように制御することもできる。
【００７３】
逆に傾斜の分解能を下げ、例えば１８０°ごとに消しゴムの図が所定の方向を向くように制御することもできる。図１０（ａ）および図１０（ｂ）は、タッチパネル画面１００１が９０°回転した場合に指１００３の接触位置に表示される消しゴム１００２の図を示す。これによれば、簡易な表示処理により、端末の方向（縦置き・横置き）に関わらず、消しゴム１００２を一定方向に傾けて配置することができるので、タッチパネル画面１００１の隅の画像を容易に消去することができる。
【００７４】
なお、上記各実施の形態に適用可能な４つのバリエーションを説明する。
【００７５】
図１１は、本発明の実施の形態にかかるタッチパネル入力装置のバリエーション１を説明するための図である。図１１（ａ）は、タッチパネル画面１１１０において、指１１０３の接触位置に表示される消しゴム１１０２の上部に、実際に消去する部分として円形領域１１０１を重畳して表示した場合を示す。また、図１１（ｂ）は、実際に消去する部分として矩形領域１１０４を重畳して表示した場合であり、図１１（ｃ）は、実際に消去する部分として楕円領域１１０５を重畳して表示した場合である。これによれば、実際に消去する部分が明確になるとともに、画面隅の画像を容易に消すことができる。なお、実際に消去する部分の領域は、円形領域、矩形領域、楕円領域以外の形状の領域であってもよい。
【００７６】
図１２は、本発明の実施の形態にかかるタッチパネル入力装置のバリエーション２を説明するための図である。図１２（ａ）は、タッチパネル画面１２１０において、指１２０３の接触面積または押圧が小さい場合に、指１２０３の接触位置に表示される消しゴム１２０２の上部に、実際に消去する部分として小さな円形領域１２０１を重畳して表示した場合を示す。
【００７７】
図１２（ｂ）は、タッチパネル画面１２１０において、指１２０３の接触面積または押圧が大きい場合に、指１２０３の接触位置に表示される消しゴム１２０２の上部に、実際に消去する部分として大きな円形領域１２０４を重畳して表示した場合を示す。これによれば、指１２０３の接触面積の大小（押圧の大小）に応じて実際の消去部分を縮小／拡大するので、消去操作が容易になる。
【００７８】
図１３は、本発明の実施の形態にかかるタッチパネル入力装置のバリエーション３を説明するための図である。図１３（ａ）は、タッチパネル画面１３１０において、指１３０３の接触面積または押圧が小さい場合に、指１３０３の接触位置に、実際に消去する部分である小さな円形領域１３０１を有する消しゴム１３０２を表示した場合である。また、図１３（ｂ）は、指１３０３の接触面積または押圧を少し大きくした場合に、少し大きくなった消しゴム１３０５を表示した場合である。この場合、実際に消去する部分である円形領域１３０４は、消しゴム１３０５と同じ比率で大きくなっている。
【００７９】
図１３（ｃ）は、タッチパネル画面１３１０において、指１３０３の接触面積または押圧をさらに大きくした場合に、さらに大きくなった消しゴム１３０７を表示した場合である。この場合も、実際に消去する部分である円形領域１３０６は、消しゴム１３０５と同じ比率で大きくなっている。これによれば、指１３０３の接触面積の大小（押圧の大小）に応じて、消しゴム１３０２，１３０５，１３０７の図自体を縮小／拡大するので、消去操作が容易になる。
【００８０】
図１４は、本発明の実施の形態にかかるタッチパネル入力装置のバリエーション４を説明するための図である。図１４（ａ）は、タッチパネル画面１４１０に対する指１４０２の接触面積または押圧が小さい場合に、消しゴム１４０１を仮表示、すなわち実際には消去しないモードで、半透明または点線で表示した場合を示す。
【００８１】
図１４（ｂ）は、タッチパネル画面１４１０に対する指１４０２の接触面積または押圧が大きい場合に、消しゴム１４０３を本表示、すなわち実際に消去できるモードで、実線表示した場合を示す。これによれば、消去操作に先立って消しゴムが表示される位置が分かり、消去操作を容易にすることができる。
【００８２】
以上説明したように、本発明の実施の形態にかかるタッチパネル入力装置によれば、操作子１（例えばペン）あるいは操作子２（例えば指）のいずれが接触したかを識別し、操作子２が接触した場合に所定の拡張処理を行うことにより、消去モードに切り替わったことが即座に判り、画像の消去操作および画面隅の消去操作を容易に行うことができる。
【産業上の利用可能性】
【００８３】
本発明は、消去モードに切り替わったことが即座に判り、画像の消去操作および画面隅の消去操作を容易に行うことができるタッチパネル入力装置として利用可能である。
【符号の説明】
【００８４】
１０１  タッチパネル画面
１０２  オブジェクト
１０３  消しゴム
１０４，１７６，１７７  指
２０３  楕円
３０１  センサー部
３０２  センサー情報取得部
３０３  操作子識別部
３０４  操作子１処理部
３０５  操作子２処理部
３０６  拡張処理部
３０７  画像出力部
７０１  加速度センサー部
１１０１  円形領域
１１０４  矩形領域
１１０５  楕円領域
１５１  ペン
１５２，１７１  表示部
１７２  ポインタ
１７３  左ボタン
１７４  右ボタン
１７５  仮想マウス
【図１】
2012252652.tif 000003
【図２】
2012252652.tif 000004
【図３】
2012252652.tif 000005
【図４】
2012252652.tif 000006
【図５】
2012252652.tif 000007
【図６】
2012252652.tif 000008
【図７】
2012252652.tif 000009
【図８】
2012252652.tif 000010
【図９】
2012252652.tif 000011
【図１０】
2012252652.tif 000012
【図１１】
2012252652.tif 000013
【図１２】
2012252652.tif 000014
【図１３】
2012252652.tif 000015
【図１４】
2012252652.tif 000016
【図１５】
2012252652.tif 000017
【図１６】
2012252652.tif 000018
【図１７】
2012252652.tif 000019
【図１８】
2012252652.tif 000020